【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
ネットワークを介して複数のセンサノードと接続されるゲートウェイと、
ネットワークを介して前記ゲートウェイと接続されたサーバとを備えたセンサネットシステムにおいて、
前記センサノードは、センサが検出した測定値とセンサノードの識別子とをセンシングデータとして送信する通信部を有し、
前記ゲートウェイは、
前記センサノードからセンシングデータを受信する第１通信制御部と、
前記受信したセンシングデータを前記サーバに送信する第２通信制御部と、を有し、
前記サーバは、
前記ネットワークから受信したセンシングデータを格納するデータベースを有し、
前記ゲートウェイから前記サーバの間、または前記ゲートウェイあるいは前記サーバには、前記サーバまたはユーザ端末あるいは他の通信装置から入力された変換定義情報を受け付けて保持して管理する変換定義情報管理部と、前記変換定義情報管理部が保持する変換定義情報から前記センシングデータに含まれる識別子に対応する変換定義情報を選択する変換定義情報選択部と、前記センシングデータに対して前記選択した変換定義情報に設定されたフォーマット変換処理を行う変換処理部と、を備え、
前記データベースは前記変換されたセンシングデータを格納することを特徴とするセンサネットシステム。
【請求項２】
前記センシングデータはバイナリ形式であって、前記変換定義情報は該センシングデータのバイナリ形式のフォーマットを異なるフォーマットのセンシングデータに変換する第１の変換定義情報を含み、
前記変換処理部は、
前記第１の変換定義情報が選択された場合に、前記バイナリ形式のセンシングデータを前記選択した第１の変換定義情報に基づいて異なるフォーマット形式のセンシングデータに変換し、
前記データベースは前記変換されたセンシングデータを格納することを特徴とする請求項１に記載のセンサネットシステム。
【請求項３】
前記変換定義情報は、
前記受信したセンシングデータに単位を付加して変換する第２の変換定義情報を含み、
前記変換定義情報管理部は、
前記サーバまたはユーザ端末あるいは他の通信装置から入力された第２の変換定義情報を受け付けて格納して管理し、
前記変換定義情報選択部は、
前記変換定義情報管理部が保持する複数の第２の変換定義情報から前記センシングデータに含まれる識別子に対応する第２の変換定義情報を選択し、
前記変換処理部は、
前記センシングデータを前記選択した第２の変換定義情報に基づいて単位を付加して変換し、
前記データベースは前記変換されたセンシングデータを格納することを特徴とする請求項１に記載のセンサネットシステム。
【請求項４】
前記変換定義情報選択部は、
前記センシングデータに含まれる識別子と、前記変換定義情報を選択する選択情報とを関連づける変換定義情報関連付けテーブルと、
前記センシングデータに含まれる識別子に対応する選択情報に基づいて、前記変換定義情報を選択することを特徴とする請求項１に記載のセンサネットシステム。
【請求項５】
前記選択情報が、センシングデータに含まれる識別子に対応した変換定義情報を予め設定してあることを指し示す場合には、
前記変換定義情報選択部は、前記識別子に対応した変換定義情報を選択することを特徴とする請求項４に記載のセンサネットシステム。
【請求項６】
前記選択情報が、センシングデータに含まれるデータで変換定義情報を指し示す場合には、
前記変換定義情報選択部は、前記センシングデータの所定の位置のデータが指し示す変換定義情報を選択することを特徴とする請求項４に記載のセンサネットシステム。
【請求項７】
前記センサノードは、
所定の周期でスリープ状態から起動してセンサの測定値を取得する実測部と、
前記センサの測定値を取得した時点のセンサの予測値を演算する予測値演算部と、
前記測定値と予測値の差が予め設定された許容範囲内であるか否かを判定する判定部と、
前記測定値と予測値の差が前記許容範囲内のときには、みなし通信回数を加算するみなし通信カウンタと、
前記測定値と予測値の差が前記許容範囲を超えたときには、前記測定値と前記みなし通信回数をセンシングデータとして送信する送信部と、を備え、
前記変換定義情報選択部は、
前記センサノードからセンシングデータを受信したときには、前記みなし通信回数に応じた予測値を生成する指令を含む前記第１の変換定義情報を選択し、
前記サーバは、
前記受信したセンシングデータに単位を付加して変換する第２の変換処理部を有し、
前記第２の変換処理部は、
前記受信したセンシングデータに前記みなし通信回数に応じた予測値を生成する指令を含むときには、前回のセンシングデータの受信時刻から前記みなし通信回数に対応する時刻を演算し、前記演算した時刻のセンサの予測値を演算し、前記演算した時刻毎の予測値をセンシングデータとして、予め設定した第２の変換定義情報に基づいて前記センシングデータに単位を付加して変換することを特徴とする請求項３に記載のセンサネットシステム。
【請求項８】
前記センサノードは、
所定の周期でスリープ状態から起動してセンサの測定値を取得する実測部と、
前記測定値をゲートウェイに送信し、ゲートウェイとの通信状態の良否を判定する通信状態判定部と、
前記ゲートウェイと通信が行えないときには、前記測定値を蓄積するデータ蓄積部と、
前記ゲートウェイと通信が行えるときには、前記実測部が測定した最新の測定値に加えて前記データ蓄積部に蓄積された過去の測定値を一括して送信する一括送信部と、を備え、
前記変換定義情報選択部は、
前記センサノードからセンシングデータを受信したときには、前記最新の測定値と過去の測定値を処理する前記第１の変換定義情報を選択し、
前記サーバは、
前記受信したセンシングデータに単位を付加して変換する第２の変換処理部を有し、
前記第２の変換処理部は、
前記受信したセンシングデータが前記複数の測定値を含むときには、予め設定した第２の変換定義情報に基づいて前記センシングデータに含まれる測定値毎に単位を付加して変換することを特徴とする請求項２に記載のセンサネットシステム。
【請求項９】
前記ゲートウェイは、
前記変換定義情報選択部と前記変換処理部と、を含むことを特徴とする請求項２に記載のセンサネットシステム。
【請求項１０】
前記サーバは、
前記変換定義情報選択部と前記変換処理部と、を含むことを特徴とする請求項２に記載のセンサネットシステム。
【請求項１１】
前記変換処理部は、
前記変換定義情報に基づいて前記バイナリ形式のセンシングデータに含まれる測定値の意味情報をテキスト形式のセンシングデータに付加することを特徴とする請求項１に記載のセンサネットシステム。
【請求項１２】
前記第１の変換定義情報は、
前記センサノードが備える前記センサの種別またはセンサの機能あるいはセンサの測定値に対する処理を含むことを特徴とする請求項２に記載のセンサネットシステム。
【請求項１３】
前記センサノードは半導体ひずみセンサを有し、
該半導体ひずみセンサの前記通信部は、該半導体ひずみセンサの測定値を上記センシングデータとして送信することを特徴とする請求項３に記載のセンサネットシステム。
【請求項１４】
前記センサノードは温度センサを有し、
前記変換処理部は、前記温度センサからのセンシングデータを用いて、前記半導体ひずみからのセンシングデータを補正することを特徴とする請求項１３に記載のセンサネットシステム。
【請求項１５】
前記センサノードが温度センサ、湿度センサ、振動センサ、加速度センサのうちの少なくとも１つを備え、
前記変換処理部は、前記半導体ひずみセンサからのセンシングデータと、前記湿度センサ、振動センサ、加速度センサのうちの少なくとも１つからのセンシングデータとを用いて、前記半導体ひずみセンサの測定対象耐久性を評価することを特徴とする請求項１３に記載のセンサネットシステム。